(57)【要約】  【課題】簡単な操作で矢を連射できるようにしたクロスボウを提供する。  【解決手段】先端部と後端部との間にシリンダ(13)の嵌込み凹所(10A)が形成された弓床(10)と、弓床の先端部に交差するように取付けられ、両端の間に弦が張架された弓(11)と、弓床の後端部に揺動自在に設けられ、引っ張られた弦を引っ掛けるワイヤーキャッチ(14)と、弓床の後端部に設けられ、弦を引っ掛けたワイヤーキャッチをコッキングし、トリガー操作によってワイヤーキャッチのコッキングを解放して矢を発射させるトリガー(15)と、弓床の嵌込み凹所に回転自在に嵌め込まれ、外周面に複数の矢溝(13A)が所定の角度間隔をあけかつ長手方向に延びて形成され、複数の矢溝の各々に矢がスライド自在に挿入されるシリンダ(13)と、シリンダを所定の角度ずつ回転させ、ワイヤーキャッチの前方に１つの矢溝を位置させる回転操作機構(17)と、を備える。【選択図】  図１
2008121946.tif 000002
【特許請求の範囲】
【請求項１】
トリガー操作によって矢を発射するクロスボウにおいて、
先端部と後端部との間にシリンダの嵌込み凹所が形成された弓床と、
該弓床の先端部に交差するように取付けられ、両端の間に弦が張架された弓と、
上記弓床の後端部に揺動自在に設けられ、引っ張られた上記弦を引っ掛けるワイヤーキャッチと、
上記弓床の後端部に設けられ、上記弦を引っ掛けたワイヤーキャッチをコッキングし、トリガー操作によって上記ワイヤーキャッチのコッキングを解放して矢を発射させるトリガーと、
上記弓床の嵌込み凹所に回転自在に嵌め込まれ、外周面に複数の矢溝が所定の角度間隔をあけかつ長手方向に延びて形成され、上記複数の矢溝の各々に矢がスライド自在に挿入されるシリンダと、
上記シリンダを所定の角度ずつ回転させ、上記ワイヤーキャッチの前方に１つの矢溝を位置させる回転操作機構と、
を備えたことを特徴とするクロスボウ。
【請求項２】
上記弓床には、上記弓の弦をワイヤーキャッチに引っ掛けるパレットと該パレットを上記弓床に沿って後方にスライドさせる操作機構とからなるコッキング装置が設けられている請求項１記載のクロスボウ。
【請求項３】
上記コッキング装置の操作機構は上記弓床の下側に沿って延びるガイド部材と、該ガイド部材にスライド自在に支持されコッキング操作を行う人によって把持されて後方にスライド操作される把持部材とからなり、上記パレットは上記把持部材に取付けられ、上記把持部材の後方スライドによって上記弓の弦を後方に引っ張り、上記把持部材の最後方スライド位置において上記弦をワイヤーキャッチに引っ掛けるようになっている請求項２記載のクロスボウ。
【請求項４】
上記回転操作機構は、上記コッキング装置の操作機構によって操作され、上記シリンダを所定の角度だけ回転させるようになっている請求項１ないし３のいずれかに記載のクロスボウ。
【請求項５】
上記回転操作機構は上記弓床の後端部側面に揺動自在に設けられた操作レバーを有し、該操作レバーはその先端部が上記シリンダの１つの矢溝に嵌まり込み、上記把持部材の最後方位置へのスライドによって蹴られて上記シリンダを所定の角度だけ回転させるとともに、先端部が上記嵌まり込んでいた矢溝から離脱して隣接する次の矢溝に嵌まり込むようになっている請求項４記載のクロスボウ。
【請求項６】
上記弓床にはライフル銃の銃把及び床尾に類似した形状部分が設けられている請求項１記載のクロスボウ。
【発明の詳細な説明】
【技術分野】
【０００１】
この発明はクロスボウに関し、特に簡単に操作で矢を連射できるようにしたクロスボウに関する。
【背景技術】
【０００２】
クロスボウは、紀元前５世紀頃に現れた東洋の弩に由来し、１２世紀頃にヨーロッパにおいてほぼ現在の形状になったと考えられている。
【０００３】
このクロスボウでは、弓床（台座）の先端に弓を交差するように取付け、弓の弦を引いてワイヤーキャッチに引っ掛けるとともに、ボルト又はクォレルと称される通常よりも太くて短い矢を弦につがえ、トリガーをひいてワイヤーキャッチから弦を放ち、矢を発射するという方式が基本的に採用されている（特許文献１、特許文献２）。
【０００４】
【特許文献１】実開昭６１−７９７９３号公報
【特許文献２】実開昭５８−５２４９８号公報
【発明の開示】
【発明が解決しようとする課題】
【０００５】
しかし、従来公知のクロスボウでは矢を一旦発射すると、次の矢を発射するまでに時間がかかり、弓の強さにもよるが１分間に２〜３本程度の矢しか発射することができなかった。
【０００６】
本発明はかかる問題点に鑑み、簡単な操作で矢を連射できるようにしたクロスボウを提供することを課題とする。
【課題を解決するための手段】
【０００７】
そこで、本発明に係るクロスボウは、トリガー操作によって矢を発射するクロスボウにおいて、先端部と後端部との間にシリンダの嵌込み凹所が形成された弓床と、該弓床の先端部に交差するように取付けられ、両端の間に弦が張架された弓と、上記弓床の後端部に揺動自在に設けられ、引っ張られた上記弦を引っ掛けるワイヤーキャッチと、上記弓床の後端部に設けられ、上記弦を引っ掛けたワイヤーキャッチをコッキングし、トリガー操作によって上記ワイヤーキャッチのコッキングを解放して矢を発射させるトリガーと、上記弓床の嵌込み凹所に回転自在に嵌め込まれ、外周面に複数の矢溝が所定の角度間隔をあけかつ長手方向に延びて形成され、上記複数の矢溝の各々に矢がスライド自在に挿入されるシリンダと、上記シリンダを所定の角度ずつ回転させ、上記ワイヤーキャッチの前方に１つの矢溝を位置させる回転操作機構と、を備えたことを特徴とする。
【０００８】
本発明の特徴の１つは複数の矢をセットし得るシリンダを弓床に回転自在に設け、トリガー操作によって１つの矢を発射すると、シリンダを回転させて次の矢を発射できるようにした点にある。
【０００９】
これにより、弦を引っ張ってワイヤーキャッチに引っ掛けてコッキングし、シリンダを回転させることによって次々と矢を発射することができ、こうして簡単な操作で矢を連射できることとなる。
【００１０】
弓の弦は手で引っ張ってもよいが、コッキング装置によって弦を引っ張れるようにするのがよい。即ち、弓床には、弓の弦をワイヤーキャッチに引っ掛けるパレットとパレットを弓床に沿って後方にスライドさせる操作機構とからなるコッキング装置を更に設けるようにするのがよい。
【００１１】
このコッキング装置は特許文献１に示されるような弓床に設けたレバーを揺動操作することによって弦をフックし引っ張ってワイヤーキャッチにコッキングする方式でもよいが、クロスボウを構えたままの姿勢においてコッキング操作ができるように、下記の実施形態に示されるように把持部材をスライドさせることにより、弦を後方に引っ張ってワイヤーキャッチに引っ掛ける方式が好ましい。
【００１２】
即ち、コッキング装置の操作機構は弓床の下側に沿って延びるガイド部材と、ガイド部材にスライド自在に支持されコッキング操作を行う人によって把持されて後方にスライド操作される把持部材とからなり、パレットは把持部材に取付けられ、把持部材の後方スライドによって弓の弦を後方に引っ張り、把持部材の最後方スライド位置において弦をワイヤーキャッチに引っ掛けるように構成するのがよい。
【００１３】
回転操作機構はシリンダを所定の角度ずつ回転させ、コッキングされたワイヤーキャッチと矢の中央との間に１つの矢溝を位置させることができればどのような機構でもよい。例えば、回転操作機構はトリガー操作の後、手で回転させる方式でもよいが、操作性を考慮すると、コッキング装置の操作機構によって操作されてシリンダを所定の角度だけ回転させるように構成するのがよい。
【００１４】
例えば、回転操作機構には操作レバーを設け、操作レバーを弓床の後端部側面に揺動自在に取付け、操作レバーの先端部をシリンダの１つの矢溝に嵌まり込ませ、把持部材の最後方位置へのスライドによって操作レバーを蹴ってシリンダを所定の角度だけ回転させるとともに、操作レバーの先端部を嵌まり込んでいた矢溝から離脱させて隣接する次の矢溝に嵌まり込ませるように構成することができる。
【００１５】
また、シリンダの後端面にラチェット歯を形成する一方、弓床の後端部内に操作レバーを設け、操作レバーの先端をラチェット歯に噛合させ、操作レバーをコッキング装置の操作機構又はワイヤーキャッチと連動させることによって揺動させ、シリンダを一方向にのみ回転させるように構成することもできる。
【００１６】
弓床は棒状としてもよいが、矢の反射時における衝撃を考慮すると、ライフル銃の銃把及び床尾に類似した形状部分を設けるのがよい。
【発明を実施するための最良の形態】
【００１７】
以下、本発明を図面に示す具体例に基づいて詳細に説明する。図１ないし図６は本発明に係るクロスボウの好ましい実施形態を示す。図において、弓床１０は先端部と後端部との間にシリンダの嵌込み凹所１０Ａが形成され、弓床１０の後端部にはライフル銃の銃把及び床尾に類似した形状部分１０Ｂが設けられている。
【００１８】
弓床１０の先端部上面には矢２０の発射溝１０Ｃが前後に延びて形成されるとともに、発射溝１０Ｃと交差するように横穴１０Ｄが形成され、横穴１０Ｄには弓１１が横方向から差し込まれてストッパ（図示せず）によって抜止めされ、こうして弓１１が弓床１０と交差するようにかつ取外し可能に取付けられている。この弓１１は撓められた状態でその両端間に弦１２が張架されている。
【００１９】
弓床１０の嵌込み凹所１０Ａにはシリンダ１３が嵌め込まれている。このシリンダ１３は外周面に複数、例えば５つの矢溝１３Ａが所定の角度間隔をあけかつ長手方向に延びて形成され、又シリンダ１３には矢押えバー１３Ｂの一端が取付けられ、矢溝１３Ａには矢２０がセットされて矢押えバー１３Ｂによって押えられることにより、矢２０は矢溝１３Ａにセットされた状態に保持されるようになっている。
【００２０】
また、シリンダ１３の前端面及び後端面にはその中心に取付け軸１３Ｃ（但し、後端面の取付け軸は現れていない）が取付けられ、前後の取付け軸１３Ｃは弓床１０の嵌込み凹所１０Ａの前端面に形成された取付け凹部及び後端面に形成された取付け穴部に回転自在に差し込まれ、又前側の貼付け軸１３Ｃはストッパーピン（図示せず）によって取付け凹部から上方への抜止めがなされており、これによってシリンダ１３は嵌込み凹所１０Ａに回転自在にかつ取外し可能に嵌め込まれている。なお、ストッパーピンはＣリングなどによって弓床１０の前端部から抜止めするのがよい。
【００２１】
また、弓床１０の後端部内にはワイヤーキャッチ１４が取付け軸１４Ａの廻りに回転自在に取付けられ、取付け軸１４Ａにはコイルばね１４Ｂが外装され、コイルばね１４Ｂは弓床１０の後端部に取付けられたピン１４Ｃに係止され、ワイヤーキャッチ１４はコイルばね１４Ｂによって取付け軸１４Ａの廻りに後方に倒れるように回動付勢されている。
【００２２】
ワイヤーキャッチ１４の下方にはトリガー１５が配置され、トリガー１５は取付けピン１５Ａによって揺動自在に取付けられ、コイルばね１５Ｂによって前方に揺動するように付勢され、トリガー１５はほぼＴ字状をなし、横辺部分の先端１５Ｃにはワイヤーキャッチ１４の後端が係止されてコッキングされるようになっている。
【００２３】
さらに、弓床１０には操作機構１６とパレット１７とから構成されるコッキング装置１８が設けられている。この操作機構１６において、弓床１０の下側には左右のガイドバー（ガイド部材）１６Ａが設けられ、両ガイドバー１６Ａは相互に平行にかつ弓床１０に沿って延びて弓床１０の前端部と後端部とに固定され、両ガイドバー１６Ａには把持ブロック（把持部材）１６Ｂの取付け筒部がスライド自在に外挿されることによって把持ブロック１６Ｂはガイドバー１６Ａにスライド自在に支持されている。
【００２４】
把持ブロック１６Ｂの取付け筒部にはアーム１６Ｃが一体的に形成され、アーム１６Ｃは上斜め後方に延び、その先端には弓１１の弦１２を引っ掛けるパレット１６Ｄが形成されている。
【００２５】
また、弓床１０の後端部にはシリンダ１３を所定の角度ずつ回転させ、ワイヤーキャッチ１４の前方に１つの矢溝１３Ａを位置させる回転操作機構１７が設けられている。この回転操作機構１７は操作レバー１７Ａを有し、操作レバー１７Ａの後端部は弓床１０の後端部一側面に回転自在に取付けられるとともにばね部材（図示せず）によって回動付勢され、操作レバー１７Ａの先端部はシリンダ１３の側方に位置する１つの矢溝１３Ａに嵌まり込んでいる。
【００２６】
また、コッキング装置１８のアーム１６Ｃには爪１７Ｂが固定され、把持ブロック１６Ｂが最後方位置までスライドされたときに爪１７Ｂが操作レバー１７Ａを蹴りあげることによって操作レバー１７Ａがシリンダ１３を所定角度だけ回転させた後、元の位置に回動復帰することにより、その先端部が嵌まり込んでいた矢溝１３Ａから抜け出して元の位置にきた矢溝１３Ａに嵌まり込むようになっている。
【００２７】
なお、操作レバーは弓床１０の後端部内に設ける一方、シリンダ１３の後端面にラチェット歯を形成し、操作レバー１４をワイヤーキャッチ１４に連動させてシリンダ１３を回転させ、ばね部材によって揺動復帰させるようにすることもできる。
【００２８】
弓床１０の後端部他側面にはロックレバー１７Ｃの後端部が取付けられ、ロックレバー１７Ｃの先端部はシリンダ１３の矢溝１３Ａに嵌まり込み抜け出すことによってシリンダ１３の一方向への回転を許容し逆方向への回転を規制するようになっている。
【００２９】
なお、ロックレバー１７Ｃは弓床１０の前端部の嵌込み凹所１０Ａ底部に設け、シリンダ１３の矢溝１３Ａ内に嵌まり込んでシリンダ１３を位置決めし、外部から見えないように構成することもできる。
【００３０】
本例のクロスボウを用いる場合、シリンダ１３を取外し、シリンダ１３の複数の矢溝１３Ａに矢２０を差し込み、矢押えバー１３Ｂによって矢２０を矢溝１３Ａ内に保持し、矢２０をセットしたシリンダ１３を弓床１０の嵌込み凹所１０Ａに嵌め込むと、操作レバー１７Ａの先端部及びロックレバー１７Ｃの先端部が各々シリンダ１３の両側方にきた矢溝１３Ａに嵌まり込む。
【００３１】
次に、把持ブロック１６Ｂを最前方までスライドさせ、パレット１６Ｄに弓１１の弦１２を引っ掛ける。このとき、パレット１６Ｄは弓１１に張られた弦１２の近くに位置するので、小さな力で弦１２をパレット１６Ｄに簡単に引っ掛けることができる。
【００３２】
パレット１６Ｄに弦１２が引っかかると、把持ブロック１６Ｂを後方にスライドさせる。すると、弦１２が弓１１を撓ませながら後方に引っ張られ、把持ブロック１６Ｂを最後方位置までスライドさせると、パレット１６Ｂがワイヤーキャッチ１４を少し後方に倒しながら弦１２がワイヤーキャッチ１４の上端に乗り越えるので、把持ブロック１６Ｂを前方にスライドさせると、弦１２がワイヤーキャッチ１４の上端後縁に引っ掛かる。
【００３３】
このとき、ワイヤーキャッチ１４はコイルばね１５Ｂによって回動付勢されたトリガー１５によって係止されて所定の姿勢にコッキングされるので、弦１２は後方に引っ張られた状態に保持される。
【００３４】
また、把持ブロック１６Ｂを最後方位置までスライドさせると、操作レバー１７Ａが上方に蹴りあげられてシリンダ１３を所定の角度だけ回転させ、矢２０がセットされた矢溝１Ａをワイヤーキャッチ１４の前方に位置させ、同時にロックレバー１７Ｃの先端部が回転してきた矢溝１３Ａに嵌まり込み、シリンダ１３を位置決めする。
【００３５】
シリンダ１３を所定角度だけ回転させた操作レバー１７Ａは元の姿勢に回動復帰し、その先端部は嵌まり込んでいた矢溝１３Ａから抜け出し、逆回転方向に隣接する矢溝１３Ａに嵌まり込む。
【００３６】
次に、トリガー１５に指をかけて引くと、ワイヤーキャッチ１４のコッキングが解放され、弦１２は弓１１の復元力を受けて前方に高速で移動し、シリンダ１３の矢溝１３Ａ内の矢２０を前方に発射させることができる。
【００３７】
弦１２を放ったワイヤーキャッチ１４はコイルばね１４Ｂによって元の姿勢に回動復帰するとともに、トリガー１５はコイルばね１５Ｂによって元の姿勢に回動復帰し、ワイヤーキャッチ１４を係止する。
【００３８】
後は上記と同様の操作を繰り返すと、矢２０を簡単に連射することができる。
【図面の簡単な説明】
【００３９】
【図１】本発明に係るクロスボウの好ましい実施形態における全体構成を示す概略斜視図である。
【図２】上記実施形態におけるシリンダの形状の１例を示す斜視図である。
【図３】上記実施形態におけるコッキング装置及び回転操作機構の１例を示す斜視図である。
【図４】上記実施形態における回転操作機構の１例を示す斜視図である。
【図５】上記実施形態におけるワイヤキャッチ及びトリガーの１例を示す断面構成図てある。
【図６】上記実施形態におけるワイヤキャッチとトリガーの関係を示す斜視図である。
【符号の説明】
【００４０】
１０        弓床
１０Ａ      嵌込み凹所
１１        弓
１２        弦
１３        シリンダ
１３Ａ      矢溝
１４        ワイヤーキャッチ
１５        トリガー
１６        操作機構
１６Ａ      ガイドバー（ガイド部材）
１６Ｂ      把持ブロック（把持部材）
１６Ｄ      パレット
１７        回転操作機構
１７Ａ      操作レバー
１７Ｂ      爪
１８        コッキング装置
２０        矢
【図１】
2008121946.tif 000003
【図２】
2008121946.tif 000004
【図３】
2008121946.tif 000005
【図４】
2008121946.tif 000006
【図５】
2008121946.tif 000007
【図６】
2008121946.tif 000008